(57)【要約】【課題】  作業が分断されることなく、経費を低減させて、しかも安全に袖瓦の施工作業を行うことのできる袖瓦および袖瓦の施工構造を提供する。【解決手段】  平瓦３上に被さる被せ部分６ａと、被せ部分６ａから垂設された垂下部分６ｂで断面略Ｌ字状に形成された袖瓦６には、突起部６ｃが一体形成されており、この袖瓦６を、瓦桟木２の破風仕上面４ａ側に固設した板材５上に突起部６ｃを載せて施工し、垂下部分６ｂと破風仕上面４ａ間に、化粧材を差込可能な空間Ｓを形成させる。【選択図】  図１
2006322289.tif 000002
【特許請求の範囲】
【請求項１】
平瓦上に被さる略水平状の被せ部分と、該被せ部分から一体状に垂設された垂下部分で断面略Ｌ字状に形成された袖瓦であって、該袖瓦には、前記被せ部分と垂下部分が交差する部位の裏側に、下方側へ突出する突起部が一体形成されていることを特徴とする袖瓦。
【請求項２】
請求項１に記載の袖瓦を、瓦桟木の破風仕上面側に固設した瓦桟木と略同一高さの板材上に前記突起部を載せて施工し、該袖瓦の前記垂下部分と前記破風仕上面間に化粧材を差込可能な空間を形成させたことを特徴とする袖瓦の施工構造。
【発明の詳細な説明】
【技術分野】
【０００１】
本発明は、袖瓦および、その袖瓦の施工構造に関するものである。
【背景技術】
【０００２】
従来、例えば図５に要部拡大図で示すように、屋根の野地板１上に平瓦５１が施工されるが、破風仕上面Ｐは、まだ仕上げられていない場合が多く、野地板１上に平瓦５１を一旦施工し、瓦工事を中断して破風仕上面Ｐの仕上がりを待って、再度、瓦業者が野地板１の端縁上に角材５３を固設し、水平状の被せ部分５２ａと垂直状の垂下部分５２ｂで断面Ｌ字状に形成されている袖瓦５２を角材５３上に固設して、袖瓦５２回りの施工を行っており、従来では、袖瓦５２回りの施工を、破風仕上面Ｐの仕上がりが終了するまで延期して、破風仕上面Ｐの出来上がるのを待って、再度現場に出向き、袖瓦回りの施工を行っており、瓦工事が分断されて、経費が大となってしまうという問題点があった。
【０００３】
また、従来では、幅４０ｍｍで高さが６０ｍｍ程度の角材５３が必要であり、被せ部分５２ａの寸法の大なる袖瓦５２を用意しておく必要があり、また、側面より釘を打ち、袖瓦５２を角材５３に固定しており、屋根から身を乗り出して釘打ち作業を行わねばならないという問題点があった。
また、更には袖瓦５２の表面を流下した雨水が、垂下部分５２ｂから破風仕上面Ｐの表面に流下して、破風仕上面Ｐが雨水に含まれる不純物により汚されてしまうという問題点があった。
【特許文献１】特開２００３−２６８９３０号公報
【発明の開示】
【発明が解決しようとする課題】
【０００４】
本発明は、瓦施工が分断されることなく、瓦施工の経費を低減させることを課題の１つとし、また破風仕上面を雨水で塗らすことがなく、袖瓦固定の釘打ち作業等を安全に良好に行える袖瓦の施工構造の提供を課題の１つとするものである。
【課題を解決するための手段】
【０００５】
本発明は上記課題を解決するために案出したものであって、平瓦上に被さる略水平状の被せ部分と、該被せ部分から一体状に垂設された垂下部分で断面略Ｌ字状に形成された袖瓦であって、該袖瓦には、前記被せ部分と垂下部分が交差する部位の裏側に、下方側へ突出する突起部が一体形成されていることである。
【０００６】
また、袖瓦の施工構造は、請求項１に記載の袖瓦を、瓦桟木の破風仕上面側に固設した瓦桟木と略同一高さの板材上に前記突起部を載せて施工し、該袖瓦の前記垂下部分と前記破風仕上面間に化粧材を差込可能な空間を形成させたことである。
【発明の効果】
【０００７】
本発明の袖瓦は、被せ部分と垂下部分で断面略Ｌ字状に形成され、被せ部分と垂下部分が交差する部位の裏側に下方側へ突出する突起部が一体形成されていることにより、袖瓦の突起部を板材上に載せて施工することにより、袖瓦の垂下部分を破風仕上面の外側に隙間を形成させて良好に配設することができるものとなる。
【０００８】
また、袖瓦の施工構造は、瓦桟木と略同一高さの板材上に突起部を載せて袖瓦を施工し、袖瓦の垂下部分と破風仕上面間に、化粧材を差込可能な空間を形成させたことにより、袖瓦を施工した後に、袖瓦の垂下部分と破風仕上面との間に形成されている空間内に化粧材を差し込んで、破風を化粧材で仕上げることができ、破風の仕上げができるのを待って袖瓦回りの施工を行う必要がなく、平瓦と共に連続して袖瓦回りの施工を行うことができ、瓦施工が分断されることがなく、瓦施工の経費を低減させることができるものとなる。
【実施例】
【０００９】
以下、本発明の実施例を図面に基づいて説明する。
図１は、屋根瓦の施工状態を示す要部拡大断面図であり、図２は、袖瓦の拡大斜視図であり、図３は、図１の構成部材の斜視構成図であり、図４は、平瓦と袖瓦の被せ状態の斜視構成図である。
【００１０】
図において、屋根を構成する野地板１上には、瓦桟木２が固設され、この瓦桟木２上に平瓦３が施工されるものである。
また、破風側には垂直に下地材４が設けられて、この下地材４の表面側が破風仕上面４ａを形成しており、この破風仕上面４ａ上の瓦桟木２の先端には、破風仕上面４ａよりも外側へはみ出した状態で板材５が配置されて、この板材５は釘等で野地板１に固定されるものであり、この板材５は瓦桟木２と直交状に配置されて、その高さ寸法は瓦桟木２の高さ寸法とほぼ同一なものとなっている。
【００１１】
この野地板１に固定された板材５上に、袖瓦６が設置されるものであり、袖瓦６は、平瓦３上に被せられる略水平な被せ部分６ａと、この被せ部分６ａの外端側から一体状に垂設された垂下部分６ｂで断面略Ｌ字状に形成されており、更に本例の袖瓦６の上流端側には、被せ部分６ａと垂下部分６ｂの交差するコーナー部の内側に、下方側へ突出して突起部６ｃが一体形成されている。
【００１２】
この突起部６ｃを板材５上に当接させて載せることで、袖瓦６の荷重を板材５で支えることができ、板材５は破風仕上面４ａよりも外側へ予め突出させた状態で固定されているため、板材５上に袖瓦６を載せて、釘等で上面側より袖瓦６を板材５に固設して施工した状態では、袖瓦６の垂下部分６ｂの裏側と破風仕上面４ａ間に、２０ｍｍ〜３０ｍｍの隙間Ｓが形成されることとなり、この隙間Ｓ内には、化粧材を良好に差し込むことができ、化粧材を隙間Ｓ内に差し込んで化粧仕上げできるため、従来のように破風仕上面４ａの仕上がりを待って、袖瓦６回りの施工を行う必要がなく、瓦職人は平瓦３の施工と連続して板材５及び袖瓦６を施工して、瓦工事を完成させることができ、従来のように瓦工事が破風の仕上げ作業により分断されることがなく、連続して瓦の施工工事が行えるために、段取りが良くなり、経費を低減させて瓦施工を行うことができるものとなる。
【００１３】
また、従来のような大径の角材５３を使用する必要がなく、板材５は最小の寸法のもので良いため、板材５は安価なもので対応することができるものとなる。
また、袖瓦６は上面側から釘を打ち付けて板材５に固定できるものであるため、従来のように屋根から身を乗り出して袖瓦の側面側から釘を打ち込む作業がなくなり、作業を安全に行うことができるものとなる。
【００１４】
また、破風仕上面４ａと袖瓦の垂下部分６ｂ間には、隙間Ｓが形成されるため、雨水が破風仕上面４ａを伝わって流下することがないため、破風仕上面４ａが汚れることがなく、綺麗な破風面を形成させることができるものとなる。
【図面の簡単な説明】
【００１５】
【図１】平瓦及び袖瓦を施工した状態の要部断面拡大構成図である。
【図２】袖瓦の拡大斜視構成図である。
【図３】図１の構成部材の斜視構成図である。
【図４】平瓦と袖瓦の被せ状態の斜視構成図である。
【図５】従来の平瓦と袖瓦の施工状態の断面拡大構成図である。
【符号の説明】
【００１６】
１  野地板
２  瓦桟木
３  平瓦
４  下地材
４ａ  破風仕上面
５  板材
６  袖瓦
６ａ  被せ部分
６ｂ  垂下部分
６ｃ  突起部
Ｓ  隙間
【図１】
2006322289.tif 000003
【図２】
2006322289.tif 000004
【図３】
2006322289.tif 000005
【図４】
2006322289.tif 000006
【図５】
2006322289.tif 000007